【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
ネットワークを介して伝送される異なる種類のデータパケットを区別するために複数のフレーム開始デリミタ（ＳＦＤ）パターンを利用する前記ネットワークにおいて、受信データパケットに対する第１のフレーム開始デリミタ及び第２のフレーム開始デリミタを検出する方法であって、前記第１のフレーム開始デリミタは前記第２のフレーム開始デリミタとは異なっており、
受信パケット内の連続するビットと前記第１のフレーム開始デリミタとの第１の相関を実行し且つ前記受信パケットの入力ビット毎に第１の相関度を示す尺度値を生成するステップと、
生成された尺度値が第１の所定の閾値を上回る場合、タイミング時刻の開始を示すステップと、
前記受信パケット内の連続するビットと前記第２のフレーム開始デリミタとの第２の相関を実行し且つ前記受信パケットの入力ビット毎に第２の相関度を示す尺度値を生成するステップと、
前記第２の相関において生成された各尺度値が前記第１の閾値より低い第２の閾値を上回るかを判定するステップと、
前記第２の相関において生成された前記尺度値が前記第２の所定の閾値を上回る場合、タイミング時刻の仮定的開始を示すステップと、
を備えることを特徴とする方法。
【請求項２】
順方向誤り訂正を使用して前記タイミング時刻の前記仮定的開始において前記ビットを復号化し且つ訂正不能誤りが前記復号化されたビット内に存在するかを判定するステップと、
ａ）訂正不能誤りが存在しない場合、前記タイミング時刻の前記仮定的開始がヘッダ情報データの有効な開始であると宣言し且つ前記フレームの前記データを処理するステップと、
ｂ）訂正不能誤りが存在する場合、訂正不能誤りが存在しないと判定されるまで、後続の前記タイミング時刻の前記仮定的開始において前記復号化するステップを繰り返すステップと、
を更に含むことを特徴とする請求項１記載の方法。
【請求項３】
訂正不能誤りが順方向誤り訂正を用いて復号化されるビットのグループ内に存在しない場合、パリティエラーに対して前記ビットのグループを処理する更なるステップを実行し、パリティエラーが検出されない場合は前記フレームの前記データを処理することを特徴とする請求項２記載の方法。
【請求項４】
前記第１のフレーム開始デリミタは誤り訂正技術を用いて符号化されないデータを有するフレームと関連付けられ、前記第２のフレーム開始デリミタは誤り訂正技術を用いて符号化されるデータを有するフレームと関連付けられることを特徴とする請求項１記載の方法。
【請求項５】
前記第１の相関及び前記第２の相関は順次実行され、前記第２の相関は前記第１の相関において生成された前記尺度が前記第１の所定の閾値を上回らない場合のみ実行されることを特徴とする請求項１記載の方法。
【請求項６】
前記第１の相関及び前記第２の相関は互いに並行に実行されることを特徴とする請求項１記載の方法。
【請求項７】
第２のフレーム開始デリミタと関連付けられた前記ステップは、
受信信号内の所定の数の連続するビットと、前記所定の数の連続するビットと等しい長さを有する前記第２のフレーム開始デリミタの格納値とを比較するステップと、
前記受信信号内の前記所定の数の連続するビットの複数のシーケンスの各々に対して、前記受信信号の前記連続するビットと前記第２のフレーム開始デリミタとの間の前記第２の相関度を示す尺度を判定するステップと、
尺度が既定の閾値を上回るシーケンス毎に、前記受信信号内のヘッダ情報データの仮定的開始を示すマーカをメモリに格納するステップと、
順方向誤り訂正を使用して前記メモリに格納された前記マーカに対応するヘッダ情報の仮定的開始において前記ビットを復号化し且つ訂正不能誤りが前記復号化されたビット内に存在するかを判定するステップと、
ａ）訂正不能誤りが存在しない場合、ヘッダ情報の仮定的開始がデータのフレームの有効な開始であると宣言し且つ前記フレームの前記データを処理するステップと、
ｂ）訂正不能誤りが存在する場合、訂正不能誤りが存在しないと判定されるまで、前記メモリに格納されたマーカに対応する後続のヘッダ情報の仮定的開始に対して前記復号化するステップを繰り返すステップと、
を備えることを特徴とする請求項１記載の方法。
【請求項８】
訂正不能誤りが順方向誤り訂正を用いて復号化されるビットのグループ内に存在しない場合、パリティエラーに対して前記ビットのグループを処理する更なるステップを実行し、パリティエラーが検出されない場合は前記フレームの前記データを処理することを特徴とする請求項７記載の方法。
【請求項９】
前記マーカは、前記受信パケットのビットシーケンス内の特定の点からのオフセットを含むことを特徴とする請求項７記載の方法。
【請求項１０】
前記メモリに前記受信信号の前記ビットを格納し且つ復号化するために前記メモリから前記マーカにより示される前記ビットを検索するステップを更に含むことを特徴とする請求項７記載の方法。
【請求項１１】
前記マーカにより示される前記ビットに先行する前記受信信号の前記格納されたビットを前記メモリから削除するステップを更に含むことを特徴とする請求項１０記載の方法。
【請求項１２】
ネットワークにおいてデータパケットを伝送する方法であって、
（i）フレーム開始デリミタ（ＳＦＤ）パターンの候補として論理的な１及び０を含むビットシーケンスを選択することと、
（ii）１及び０の割合が所定の範囲に含まれるかを判定するために候補ＳＦＤパターンを評価することと、
（iii）前記候補ＳＦＤパターンにおける前記１及び０の割合が前記範囲に含まれない場合、前記候補ＳＦＤパターンではないとして前記選択されたシーケンスを拒否し、候補ＳＦＤパターンとして新しいビットシーケンスを選択し且つステップ（ii）及び（iii）を繰り返すことと、
（iv）前記候補ＳＦＤパターンにおける前記１及び０の割合が前記範囲に含まれる場合、
−前記シーケンスの自己相関特性
−前記シーケンス及びビットを反転した前記シーケンスの像の相互相関特性
−前記シーケンス及び前記ネットワークを介して伝送されるパケットにおいて採用される同期パターンの相互相関特性
という基準のうちの少なくとも１つに対して前記候補ＳＦＤパターンを評価することと、
（v）前記シーケンスが評価される各基準に対する所定の閾値を満たす場合、前記選択されたシーケンスを有効なＳＦＤパターンとして識別することと、
により前記ＳＦＤパターンを選択するステップと、
前記ネットワークを介して、各パケット内のヘッダ情報の開始を識別するための前記有効なＳＦＤパターンを含むパケットを伝送させるステップと、
を備えることを特徴とする方法。
【請求項１３】
前記所定の範囲は３５％〜６５％であることを特徴とする請求項１２記載の方法。
【請求項１４】
少なくとも２つのシーケンスがステップ（i）において選択され、ステップ（ii）〜（iv）は有効なＳＦＤの対を形成するシーケンスを識別するために各シーケンスに対して実行されることを特徴とする請求項１２記載の方法。
【請求項１５】
ステップ（iv）は、
−前記２つのシーケンスの相互相関特性
−一方のシーケンス及びビットを反転した他方のシーケンスの像の相互相関特性
−ビットを反転した双方のシーケンスの像の相互相関特性
という基準を更に含むことを特徴とする請求項１４記載の方法。
【請求項１６】
ネットワークにおいてデータパケットを伝送する方法であって、
所定の範囲内の１及び０の割合と、
シーケンスの自己相関特性と、
前記シーケンス及びビットを反転した前記シーケンスの像の相互相関特性と、
前記シーケンス及び前記ネットワークを介して伝送されるパケットにおいて採用される同期パターンの相互相関特性と、
を含むグループから選択される複数の基準に対してビットシーケンスを評価することにより取得されたフレーム開始デリミタをコンピュータ可読媒体から読み出すステップと、
前記複数の基準を満たすと評価されたフレーム開始デリミタを選択するステップと、
データパケットのデータから前記パケットの同期ヘッダを示すために、前記パケットに前記選択されたフレーム開始デリミタを挿入するステップと、
前記ネットワークを介して前記挿入されたフレーム開始デリミタを有する前記データパケットを伝送させるステップと、
を備えることを特徴とする方法。
【請求項１７】
伝送される前記データパケットの属性に従って、前記コンピュータ可読媒体に格納された複数のフレーム開始デリミタから前記フレーム開始デリミタを選択するステップを更に含むことを特徴とする請求項１６記載の方法。
【請求項１８】
前記複数のフレーム開始デリミタは、
前記複数のフレーム開始デリミタをそれぞれ形成する２つのシーケンスの相互相関特性、
一方のシーケンス及びビットを反転した他方のシーケンスの像の相互相関特性、
ビットを反転した双方のシーケンスの像の相互相関特性、
という基準のうちの少なくとも１つに対して更に評価されることを特徴とする請求項１７記載の方法。
【請求項１９】
ネットワークを介して伝送される異なる種類のデータパケットを区別するために複数のフレーム開始デリミタ（ＳＦＤ）パターンを利用する前記ネットワークにおいて、受信データパケットに対する第１のフレーム開始デリミタ及び第２のフレーム開始デリミタを検出するデータ受信機であって、前記第１のフレーム開始デリミタは前記第２のフレーム開始デリミタとは異なっており、前記データ受信機は、  受信パケット内の連続するビットと前記第１のフレーム開始デリミタとの第１の相関を実行し且つ前記受信パケットの入力ビット毎に第１の相関度を示す尺度値を生成し、
生成された尺度値が所定の第１の閾値を上回る場合、タイミング時刻の開始を示す動作と、
前記受信パケット内の連続するビットと前記第２のフレーム開始デリミタとの第２の相関を実行し且つ前記受信パケットの入力ビット毎に第２の相関度を示す尺度値を生成し、
前記第２の相関において生成された各尺度値が前記第１の閾値より低い第２の閾値を上回るかを判定し、
前記第２の相関において生成された前記尺度値が前記第２の所定の閾値を上回る場合、タイミング時刻の仮定的開始を示す、
ように構成されるフレーム開始デリミタ検出器を備えることを特徴とするデータ受信機。
【請求項２０】
順方向誤り訂正を使用して前記タイミング時刻の仮定的開始において前記ビットを復号化し且つ訂正不能誤りが前記復号化されたビット内に存在するかを判定し、
ａ）訂正不能誤りが存在しない場合、前記タイミング時刻の仮定的開始がヘッダ情報データの有効な開始であると宣言し且つ前記フレームのデータを処理し、
ｂ）訂正不能誤りが存在する場合、訂正不能誤りが存在しないと判定されるまで、後続のタイミング時刻の開始の仮定において前記復号化を繰り返す、
ように構成される誤り訂正復号器
を備えることを特徴とする請求項１９記載のデータ受信機。
【請求項２１】
前記復号器は、訂正不能誤りが順方向誤り訂正を用いて復号化されるビットのグループ内に存在しない場合にパリティエラーに対して前記ビットのグループを処理し、パリティエラーが検出されない場合は前記フレームの前記データを処理するように構成されることを特徴とする請求項２０記載のデータ受信機。
【請求項２２】
前記復号器は、
受信信号内の所定の数の連続するビットと、前記所定の数の連続するビットと等しい長さを有する前記第２のフレーム開始デリミタの格納値とを比較し、
前記受信信号内の前記所定の数の連続するビットの複数のシーケンスの各々に対して、前記受信信号の前記連続するビットと前記第２のフレーム開始デリミタとの間の前記第２の相関度を示す尺度を判定し、
尺度が既定の閾値を上回るシーケンス毎に、前記受信信号内のヘッダ情報データの仮定的開始を示すマーカをメモリに格納するステップと、
順方向誤り訂正を使用して前記メモリに格納された前記マーカに対応するヘッダ情報の仮定的開始において前記ビットを復号化し且つ訂正不能誤りが前記復号化されたビット内に存在するかを判定し、
ａ）訂正不能誤りが存在しない場合、ヘッダ情報の仮定的開始がデータのフレームの有効な開始であると宣言し且つ前記フレームの前記データを処理し、
ｂ）訂正不能誤りが存在する場合、訂正不能誤りが存在しないと判定されるまで、前記メモリに格納されたマーカに対応する後続のヘッダ情報の仮定的開始に対して前記復号化を繰り返す
ように構成されることを特徴とする請求項２０記載のデータ受信機。
【請求項２３】
訂正不能誤りが順方向誤り訂正を用いて復号化されるビットのグループ内に存在しない場合、前記復号器は、パリティエラーに対して前記ビットのグループを処理し、パリティエラーが検出されない場合は前記フレームの前記データを処理するように構成されることを特徴とする請求項２２記載のデータ受信機。
【請求項２４】
前記マーカは、前記受信パケットのビットシーケンス内の特定の点からのオフセットを含むことを特徴とする請求項２２記載のデータ受信機。
【請求項２５】
前記受信信号の前記ビットを前記メモリに格納し、復号化するために前記メモリから前記マーカにより示される前記ビットを検索するように構成されるメモリアクセス部を備えることを特徴とする請求項２２記載のデータ受信機。
【請求項２６】
前記復号器は、前記マーカにより示される前記ビットに先行する前記受信信号の前記格納されたビットを前記メモリから削除するように構成されることを特徴とする請求項２５記載のデータ受信機。
【請求項２７】
前記第１のフレーム開始デリミタが誤り訂正技術を用いて符号化されないデータを有するフレームと関連付けられており、
前記第２のフレーム開始デリミタが誤り訂正技術を用いて符号化されるデータを有するフレームと関連付けられている
ことを特徴とする請求項１９記載のデータ受信機。
【請求項２８】
前記フレーム開始デリミタ検出器は、第１の相関及び第２の相関を順次実行するように構成され、
前記フレーム開始デリミタ検出器は、前記第１の相関において生成された前記尺度が前記第１の所定の閾値を上回らない場合のみ前記第２の相関を実行するように構成されることを特徴とする請求項１９記載のデータ受信機。
【請求項２９】
前記フレーム開始デリミタ検出器は、前記第１の相関及び前記第２の相関を互いに並行に実行するように構成されることを特徴とする請求項１９記載のデータ受信機。